(57)【要約】【課題】湯の使用時間が日によって変わる環境下において、沸き上げ完了時間をその都度変更する手間をユーザに取らせることなく、日々毎に適切な時刻で沸き上げを完了することのできる電気給湯機を提供すること。【解決手段】本発明の電気給湯機は、貯湯タンクと、貯湯タンク内の湯水を沸き上げる沸き上げ動作を行う加熱手段と、貯湯タンク内の残湯量を検出する残湯量検出手段と、１日を、第１の時間帯と、それより前の第２の時間帯とに少なくとも区分して、時間を管理する時間帯区分手段と、第１の時間帯において、残湯量が所定値以下になった場合に沸き上げ動作を行う沸き増し制御手段と、第２の時間帯において、貯湯タンク内の湯水が全量沸き上がるように沸き上げ動作を行う全量沸き上げ制御手段と、日付、曜日または期間等のスケジュール毎に、第１の時間帯と第２の時間帯とを区分する時刻をユーザが予め設定可能とする時間帯区分設定手段とを備える。【選択図】図４
2012057853.tif 000002
【特許請求の範囲】
【請求項１】
貯湯タンクと、
電気で駆動され、前記貯湯タンク内の湯水を沸き上げる沸き上げ動作を行う加熱手段と、
前記貯湯タンク内の残湯量または残熱量を検出する残湯量検出手段と、
１日を、第１の時間帯と、それより前の第２の時間帯とに少なくとも区分して、時間を管理する時間帯区分手段と、
前記第１の時間帯において、前記検出された残湯量または残熱量が所定値以下になった場合に沸き上げ動作を行うことにより前記貯湯タンク内の湯量を増加させる沸き増し制御を行う沸き増し制御手段と、
前記第２の時間帯において、前記貯湯タンク内の湯水が全量沸き上がるように沸き上げ動作を行う全量沸き上げ制御を行う全量沸き上げ制御手段と、
日付、曜日または期間等のスケジュール毎に、前記第１の時間帯と前記第２の時間帯とを区分する時刻をユーザが予め設定可能とする時間帯区分設定手段と、
を備えることを特徴とする電気給湯機。
【請求項２】
前記第２の時間帯になる前に、前記残湯量検出手段の検出結果と、前記第２の時間帯の長さとに基づいて、前記第２の時間帯の開始時刻から沸き上げ動作を開始した場合に前記第１の時間帯の開始時刻までに前記貯湯タンクの全量沸き上げが完了するか否かを予測する予測手段を備え、
前記全量沸き上げ制御手段は、前記予測手段の予測結果が否定的であった場合に、前記第２の時間帯の開始時刻より前から沸き上げ動作を開始することを特徴とする請求項１記載の電気給湯機。
【請求項３】
沸き上げ不実行日をユーザが予め設定可能とする沸き上げ不実行日設定手段を備え、
前記設定された沸き上げ不実行日には前記全量沸き上げ制御および前記沸き増し制御の実行を省略することを特徴とする請求項１または２に記載の電気給湯機。
【請求項４】
当日または翌日が前記沸き上げ不実行日に設定されている場合に、その旨を報知する報知手段を備えることを特徴とする請求項３記載の電気給湯機。
【請求項５】
複数のスイッチを有する操作部と、
当日が前記沸き上げ不実行日に設定されている場合に、前記複数のスイッチのうちの任意のスイッチが操作されると当日の前記沸き上げ不実行日の設定を解除する解除手段と、
を備えることを特徴とする請求項３または４記載の電気給湯機。
【請求項６】
前記時間帯区分設定手段により設定される時刻とは別に、前記第１の時間帯と前記第２の時間帯とを区分する時刻を使用者が予め設定可能とする第２の時間帯区分設定手段と、
翌日またはそれ以降の指定された日付の前記第１の時間帯および前記第２の時間帯の区分を、前記時間帯区分設定手段により設定されている時刻から、第２の時間帯区分設定手段により設定されている時刻へ変更するための指示を受け付ける受付手段を有する操作部と、
を備えることを特徴とする請求項１乃至５の何れか１項記載の電気給湯機。
【発明の詳細な説明】
【技術分野】
【０００１】
本発明は、電気給湯機に関する。
【背景技術】
【０００２】
電気給湯機において、貯湯タンクの湯水を全量沸き上げる全量沸き上げ運転を行う時間帯（例えば深夜時間帯）と、残湯量が所定値以下に減少した場合に湯切れを防止するために湯を追加する湯切れ沸き上げ運転を行う時間帯（例えば昼間時間帯）とを区分して制御する技術が知られている（例えば、特許文献１参照）。
【先行技術文献】
【特許文献】
【０００３】
【特許文献１】特許第３９９２１９９号公報
【発明の概要】
【発明が解決しようとする課題】
【０００４】
しかしながら、例えば、曜日によって営業時間が異なる店舗で用いられる業務用給湯機のように、湯の使用時間が日によって変わる環境で使用される電気給湯機では、次のような問題がある。貯湯タンクの全量沸き上げの完了時刻を、湯の使用開始時刻（例えば店の営業時間の開始時刻）より遅い時刻に設定していると、湯の使用が開始されたときに十分な貯湯量が確保されておらず、湯切れが発生するおそれがある。したがって、湯切れを確実に防止するためには、湯の使用開始時刻までに貯湯タンクの全量沸き上げを完了する必要がある。そのために、全量沸き上げの完了時刻を、湯の使用開始時刻が最も早い日に合わせて設定していた場合、湯の使用開始時刻が遅い日においては、全量沸き上げが完了してから湯の使用開始時刻までの間、貯湯タンクからの放熱ロスにより、エネルギーが無駄に消費されてしまう。この無駄を避けるには、湯の使用開始時刻が変わるたびに、全量沸き上げ完了時刻の設定をユーザがその都度やり直す必要があり、煩雑であった。
【０００５】
本発明は、上述のような課題を解決するためになされたもので、湯の使用時間が日によって変わる環境下において、沸き上げ完了時間をその都度変更する手間をユーザに取らせることなく、日々毎に適切な時刻で沸き上げを完了することのできる電気給湯機を提供することを目的とする。
【課題を解決するための手段】
【０００６】
本発明に係る電気給湯機は、貯湯タンクと、電気で駆動され、貯湯タンク内の湯水を沸き上げる沸き上げ動作を行う加熱手段と、貯湯タンク内の残湯量または残熱量を検出する残湯量検出手段と、１日を、第１の時間帯と、それより前の第２の時間帯とに少なくとも区分して、時間を管理する時間帯区分手段と、第１の時間帯において、検出された残湯量または残熱量が所定値以下になった場合に沸き上げ動作を行うことにより貯湯タンク内の湯量を増加させる沸き増し制御を行う沸き増し制御手段と、第２の時間帯において、貯湯タンク内の湯水が全量沸き上がるように沸き上げ動作を行う全量沸き上げ制御を行う全量沸き上げ制御手段と、日付、曜日または期間等のスケジュール毎に、第１の時間帯と第２の時間帯とを区分する時刻をユーザが予め設定可能とする時間帯区分設定手段とを備えたものである。
【発明の効果】
【０００７】
本発明によれば、湯の使用時間が日によって変わる環境下において、沸き上げ完了時間をその都度変更する手間をユーザに取らせることなく、日々毎に適切な時刻で沸き上げを完了することが可能となる。このため、湯切れを確実に防止するとともに、省エネルギー化が図れる。
【図面の簡単な説明】
【０００８】
【図１】本発明の電気給湯機の実施の形態１を示す構成図である。
【図２】本発明の実施の形態１におけるリモコンの外観図である。
【図３】本発明の実施の形態１におけるリモコンの外観図である。
【図４】本発明の実施の形態１におけるリモコンの外観図である。
【図５】本発明の実施の形態１における貯湯タンク内の残湯量と沸き上げタイミングとの関係の一例を示す図である。
【図６】貯湯タンク内の残湯量と沸き上げタイミングとの関係の一例を示す図である。
【図７】本発明の実施の形態２における貯湯タンク内の残湯量と沸き上げタイミングとの関係の一例を示す図である。
【図８】本発明の実施の形態３において定休日が設定された場合の貯湯タンク内の残熱量と沸き上げタイミングとの関係の一例を示す図である。
【図９】本発明の実施の形態４において当日または翌日が定休日として設定とされている場合に給湯機制御部が実行するルーチンのフローチャートである。
【図１０】本発明の実施の形態５におけるリモコンの外観図である。
【図１１】本発明の実施の形態５における貯湯タンク内の残湯量と沸き上げタイミングとの関係の一例を示す図である。
【図１２】本発明の実施の形態５における貯湯タンク内の残湯量と沸き上げタイミングとの関係の一例を示す図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の電気給湯機の実施の形態１を示す構成図である。図１に示すように、電気給湯機本体１０の内部には、貯湯タンク１１が備えられている。貯湯タンク１１の下部には給水管２１が接続され、貯湯タンク１１の上部には給湯管２２が接続されている。給湯管２２は例えば蛇口、シャワーなどの出湯先と繋がっており、貯湯タンク１１内の湯を出湯先へ送る働きをする。貯湯タンク１１内の湯が給湯管２２を通って外部へ送られると、その分だけ給水管２１から水が貯湯タンク１１内に供給される。これにより、貯湯タンク１１内の湯水の量は、常に一定に保たれる。
【００１１】
また、貯湯タンク１１は、送水ポンプ（図示せず）を備えた加熱循環回路２３により、ヒートポンプユニット２００（加熱手段）に接続されている。湯を沸き上げる沸き上げ動作の際は、ヒートポンプユニット２００および加熱循環回路２３が駆動される。この沸き上げ動作においては、貯湯タンク１１の下部から取り出された水が加熱循環回路２３を介してヒートポンプユニット２００に送られ、ヒートポンプの冷媒から水に熱が授与されることで湯が沸かされる。沸かされた湯は、加熱循環回路２３を介して貯湯タンク１１に送られ、上部から貯湯タンク１１内に流入する。このような沸き上げ動作により、貯湯タンク１１内の上部から下部に向かって湯が貯められていく。
【００１２】
貯湯タンク１１には、貯湯量が０Ｌ、１５０Ｌ、３００Ｌ、４００Ｌとなる箇所に温度センサ４１、４２、４３、４４がそれぞれ設置されている。これらの温度センサ４１、４２、４３、４４により検出される各部位の温度情報は、電気給湯機本体１０の内部に設けられた給湯機制御部３１に伝えられる。給湯機制御部３１は、温度センサ４１、４２、４３、４４の検出結果に基づいて、貯湯タンク１１内の残湯量（貯湯量）や残熱量（貯熱量）を算出することができる。また、給湯機制御部３１は、給湯温度などの各種設定値を記憶したり、沸き上げ動作の開始および終了などの制御を行ったりする。
【００１３】
電気給湯機における沸き上げ制御には、一般的に、２つの種類がある。１つは、電力料金が安い深夜時間帯（業務用給湯機においては非営業時間内）に、貯湯タンク１１の全量が沸き上がるように沸き上げ動作を実行する全量沸き上げ制御である。もう１つは、昼間時間帯（業務用給湯機においては営業時間内）に、湯切れを防止するために沸き上げ動作を実行する沸き増し制御である。本実施形態では、業務用給湯機を例に説明する。
【００１４】
本実施形態における給湯機制御部３１は、時刻を計時する時計機能、日付や曜日を判別する暦機能、曜日毎の営業時間（第１の時間帯）を記憶する機能などを有しており、１日を営業時間と非営業時間（第２の時間帯）とに区分して時間を管理する。
【００１５】
給湯機制御部３１には、リモコン１００（操作部）が相互に通信可能に接続されている。曜日毎の営業時間を設定する操作は、リモコン１００を用いて行うことができる。図２乃至図４は、本発明の実施の形態１におけるリモコン１００の外観図である。図２に示すように、リモコン１００は、表示部１０１と、日時設定スイッチ１１１と、営業時間設定スイッチ１１２と、選択スイッチ１１３と、決定スイッチ１１４とを有している。
【００１６】
通常の状態では、リモコン１００の表示部１０１には、給湯温度や現在時刻などが表示される。日時設定スイッチ１１１を押すと、表示部１０１には、図３に示すように、日時設定画面が表示される。この状態で選択スイッチ１１３を押すと、日時設定画面中に表示される日時が推移する。その表示される日時を現在の正確な日時に合わせたところで決定スイッチ１１４を押すことにより、給湯機制御部３１の時計機能および暦機能が管理している現在の時刻および日付が書き換えられる。
【００１７】
また、営業時間設定スイッチ１１２を押すと、表示部１０１には、図４に示すように、営業時間設定画面が表示される。営業時間設定画面の表示直後は、設定を変更する曜日を選択するモードになっている。この曜日選択モードにおいて選択スイッチ１１３を押して曜日を選択し、決定スイッチ１１４を押すと、選択した曜日の営業時間を設定するモードに移行する。この営業時間設定モードでは、まず営業時間の開始時刻の設定を行い、その後、営業時間の終了時刻の設定を行う。これらの設定においては、選択スイッチ１１３を押すと表示される時刻が推移し、決定スイッチ１１４を押すことにより時刻が確定する。
【００１８】
上述した方法で設定された曜日毎の営業時間の情報は、給湯機制御部３１に記憶される。非営業時間中、給湯機制御部３１は、全量沸き上げ制御を実行する。すなわち、給湯機制御部３１は、上記記憶された曜日毎の営業時間の情報に基づいて、次の営業時間の開始時刻には貯湯タンク１１内の全量が沸き上がった状態となるように、非営業時間の間に沸き上げ動作（ヒートポンプユニット２００および加熱循環回路２３の作動）を行う。より詳しくは、給湯機制御部３１は、まず、貯湯タンク１１内の残湯量または残熱量と、ヒートポンプユニット２００の沸き上げ速度とに基づいて、全量沸き上げに要する時間を算出する。そして、給湯機制御部３１は、次の営業時間の開始時刻に対して全量沸き上げに要する時間だけ遡った時刻から沸き上げ動作を開始する。このような制御により、営業時間が曜日によって異なる場合であっても、各曜日の営業時間に合わせて、その開始時刻ちょうどに貯湯タンク１１内の全量が沸き上がった状態となるようにすることができる。
【００１９】
一方、営業時間中は、給湯機制御部３１は、湯切れを防止するための沸き増し制御を実行する。すなわち、営業時間内においては、給湯機制御部３１は、貯湯タンク１１内の所定温度（例えば４５℃）以上の残湯量が所定量（以下、「最低貯湯量」と称する）より少なくなった場合には、沸き上げ動作を行い、貯湯タンク１１内の湯量を増加させる。最低貯湯量は、多すぎると無駄なエネルギー消費となり、少なすぎると湯が不足するおそれがある。このため、最適な最低貯湯量をユーザが選択することのできるように、リモコン１００から最低貯湯量を設定することができるように構成されていることが望ましい。また、沸き増し動作完了時の湯量（以下、「沸き増し湯量」と称する）についても、同様に、リモコン１００から設定可能であることが望ましい。
【００２０】
図５は、本発明の実施の形態１における貯湯タンク１１内の残湯量と沸き上げタイミングとの関係の一例を示す図である。図５に示す例では、最低貯湯量を３００Ｌ、沸き増し湯量を４００Ｌ、満タン湯量（貯湯タンク１１の容量）を５５０Ｌとしている。営業時間の開始時刻には、全量沸き上げがちょうど完了し、残湯量は満タン湯量である５５０Ｌとなる。営業時間内には、湯が使用されるにしたがい、残湯量が減少する。残湯量が最低貯湯量の３００Ｌより少なくなったところで、沸き増しのための沸き上げ動作が開始され、残湯量が上昇していく。そして、残湯量が沸き増し湯量である４００Ｌに達したところで、沸き増しのための沸き上げ動作が終了される。
【００２１】
以上説明したように、本実施形態によれば、営業時間開始時刻（湯の使用開始時刻）が曜日によって異なる場合であっても、ユーザがその都度設定を変更することなく、各曜日の営業時間開始時刻に合わせて、その営業時間開始時刻ちょうどに貯湯タンク１１内の全量が沸き上がった状態となるようにすることができる。このため、全量沸き上げの完了時刻が営業時間開始時刻に対して早すぎて、その間に貯湯タンク１１から無駄に放熱ロスが発生するようなことがないので、エネルギー消費を抑えることができる。逆に、全量沸き上げの完了が営業時間開始時刻に間に合わずに湯が不足する事態が起きることもない。また、ユーザが全量沸き上げの完了時刻をその都度設定する必要がないので、ユーザの負担が軽減され、操作性が向上する。
【００２２】
なお、本実施の形態では、貯湯タンク１１内の湯水を沸き上げる加熱手段としてヒートポンプユニット２００を用いた場合について説明したが、本発明は、ヒーターやガスやソーラーなどの他の加熱手段を用いる場合にも適用可能である。また、本実施形態では、日時や営業時間の設定方法について具体的に説明したが、この説明した方法に限定されるものではなく、他の方法でも適用可能である。
【００２３】
また、本実施形態では、１日を、第１の時間帯（営業時間）と、それより前の第２の時間帯（非営業時間）とに区分して制御する場合を例に説明したが、本発明では、１日を３つ以上の時間帯に区分して制御するようにしてもよい。また、本実施形態では、時間帯区分を曜日毎に設定する場合を例に説明したが、本発明では、日付毎に時間帯区分を設定したり、あるいは、期間毎に時間帯区分を設定したりする場合にも同様に適用可能である。期間の設定は、開始日と終了日とで設定したり、週数、月数などで設定することができる。
【００２４】
実施の形態２．
次に、図６および図７を参照して、本発明の実施の形態２について説明するが、上述した実施の形態１との相違点を中心に説明し、同様の事項については説明を省略する。
【００２５】
図６は、貯湯タンク１１内の残湯量と沸き上げタイミングとの関係の一例を示す図である。図６に示すように、非営業時間の開始時刻における残湯量が少なく、ヒートポンプユニット２００の沸き上げ速度に対して非営業時間が十分に長く設定されていないような場合には、非営業時間の開始時刻から沸き上げ動作を開始したのでは、営業時間開始時刻に全量沸き上げが完了できないことがあり得る。このような場合、本発明では、非営業時間の終了後（すなわち、営業時間開始後）まで沸き上げ動作を継続して行い、貯湯タンク１１の全量を沸き上げるようにしてもよい。
【００２６】
一方、本発明の実施の形態２では、非営業時間の開始時刻における残湯量が少なく、ヒートポンプユニット２００の沸き上げ速度に対して非営業時間が十分に長く設定されていないような場合であっても、営業時間開始時刻に全量沸き上げを確実に完了できるようにするため、次のような制御を行う。非営業時間になる前（すなわち営業時間中）に、給湯機制御部３１は、非営業時間開始時刻から沸き上げ動作を開始した場合に次の営業時間の開始時刻までに全量沸き上げが完了するか否かを予測する。この予測は、温度センサ４１、４２、４３、４４により検出される貯湯タンク１１内の残湯量または残熱量と、非営業時間の長さとに基づいて行われる。すなわち、貯湯タンク１１内の残湯量または残熱量と、ヒートポンプユニット２００の沸き上げ速度とから、全量沸き上げに要する時間が算出され、その時間が非営業時間の長さを超えている場合には、非営業時間開始時刻から沸き上げ動作を開始したのでは次の営業時間の開始時刻までに全量沸き上げが完了しないと判断される。そして、給湯機制御部３１は、非営業時間開始時刻から沸き上げ動作を開始したのでは次の営業時間の開始時刻までに全量沸き上げが完了しないと判断した場合には、非営業時間開始時刻より前から沸き上げ動作を開始する。
【００２７】
図７は、本発明の実施の形態２における貯湯タンク１１内の残湯量と沸き上げタイミングとの関係の一例を示す図である。図７に示す例は、給湯機制御部３１が、非営業時間開始時刻から沸き上げ動作を開始したのでは次の営業時間の開始時刻までに全量沸き上げが完了しないと判断し、非営業時間開始時刻より前の時点であるＡ点から沸き上げ動作を開始した場合の例である。
【００２８】
図７に示すように、Ａ点から非営業時間開始時刻までの間の貯湯タンク１１内の湯量の増加速度（図７中のＢの傾き）は、非営業時間中に比べて、緩やかである。これは、営業時間中のため、湯の使用があり、貯湯タンク１１から外部への給湯が行われているからである。図７中のＢの傾きは、ヒートポンプユニット２００の沸き上げ速度から、給湯による貯湯タンク１１内の湯の使用速度を差し引くことにより、予測することが可能である。
【００２９】
給湯機制御部３１が、非営業時間開始時刻から沸き上げ動作を開始したのでは次の営業時間の開始時刻までに全量沸き上げが完了しないと判断し、営業時間内から沸き上げ動作を開始する場合には、次のように制御することが望ましい。まず、営業時間内における貯湯タンク１１内の残湯量の履歴に基づいて、給湯による貯湯タンク１１内の湯の使用速度（図７中のＣの傾き）を算出する。次いで、その算出された湯の使用速度と、ヒートポンプユニット２００の沸き上げ速度とに基づいて、営業時間内に沸き上げ動作を開始した場合の貯湯タンク１１内の湯量の増加速度（図７中のＢの傾き）を予測する。そして、図７中のＢと、図７中のＣとの交点である図７中のＡ点から沸き上げ動作を開始する。このように制御することにより、次の営業時間の開始時刻ちょうどに貯湯タンク１１内の全量が沸き上がった状態となるようにすることができる。
【００３０】
以上説明した実施の形態２によれば、非営業時間が短いような場合であっても、次の営業時間開始時刻には全量沸き上げを確実に完了することができる。このため、営業時間がどのように設定されるかに関わらず、湯切れが発生するリスクを確実に抑制することができる。
【００３１】
実施の形態３．
次に、図８を参照して、本発明の実施の形態３について説明するが、上述した実施の形態との相違点を中心に説明し、同様の事項については説明を省略する。
【００３２】
本実施形態では、定休日（沸き上げ不実行日）をユーザが予め設定可能になっている。定休日を設定する操作は、リモコン１００を用いて行うことができ、設定された定休日の情報は給湯機制御部３１に記憶される。定休日の設定は、日付で指定できるようになっていてもよいし、曜日で指定できるようになっていてもよいし、第何週の何曜日というように週と曜日で指定できるようになっていてもよい。
【００３３】
図８は、本発明の実施の形態３において定休日が設定された場合の貯湯タンク１１内の残熱量と沸き上げタイミングとの関係の一例を示す図である。定休日が設定された場合、給湯機制御部３１は、定休日の分の全量沸き上げ制御および沸き増し制御の実行を省略する。すなわち、給湯機制御部３１は、図８に示すように、定休日前日の営業時間が終了した後、定休日翌日の営業時間開始時刻に備えた全量沸き上げを開始するまでは、貯湯タンク１１内の残熱量の低下にかかわらず、沸き上げ動作を一切実行しない。
【００３４】
以上説明した実施の形態３によれば、ユーザが毎日設定を変更することなく、定休日には自動で湯の沸き上げを停止するため、ユーザの操作性を維持したままで無駄なエネルギー消費を抑えることが可能となる。
【００３５】
実施の形態４．
次に、図９を参照して、本発明の実施の形態４について説明するが、上述した実施の形態との相違点を中心に説明し、同様の事項については説明を省略する。
【００３６】
本実施形態では、前述した実施の形態３と同様に、ユーザが定休日を予め設定可能になっている。更に、本実施形態では、当日または翌日が定休日として設定されている場合には、その旨をリモコン１００の表示部１０１（報知手段）に表示することにより、ユーザに対し注意を喚起する。図９は、当日または翌日が定休日として設定されている場合に給湯機制御部３１が実行するルーチンのフローチャートである。
【００３７】
ステップＳ１では、本日が定休日に設定されているか否かを判断する。本日が定休日に設定されている場合にはステップＳ２へ進み、本日が定休日に設定されていない場合にはステップＳ５へ進む。
【００３８】
ステップＳ２では、リモコン１００の表示部１０１に、本日が定休日に設定されている旨、および、リモコン１００の任意のスイッチを押すことによって本日の定休日の設定が解除される旨を表示し、ステップＳ３に進む。
【００３９】
ステップＳ３では、リモコン１００のスイッチ１１１〜１１４等が操作されたかどうかを判断する。何れかのスイッチが操作された場合には、ステップＳ４に進む。何れのスイッチも操作されない場合には、ステップＳ１に戻る。ここでステップＳ１に戻るのは、本日が定休日設定されたまま日付が変更になった場合、再度ステップＳ１の判断が必要になるためである。ステップＳ４では、本日の定休日設定を解除するとともに、その旨をリモコン１００の表示部１０１に表示し、ステップＳ５に進む。
【００４０】
ステップＳ５では、翌日が定休日に設定されているか否かを判断する。翌日が定休日に設定されている場合にはステップＳ６へ進み、翌日が定休日に設定されていない場合には、処理を終了する。ステップＳ６では、翌日が定休日に設定されている旨をリモコン１００の表示部１０１に表示し、その後、処理を終了する。
【００４１】
以上説明した実施の形態４によれば、当日または翌日が定休日に設定されている旨をユーザに対して注意喚起することができるので、臨時営業などのために定休日の設定を解除する必要がある場合に、ユーザがその解除をし忘れることを確実に防止することができる。すなわち、本来は定休日であるが臨時営業を行うことになった日の前日、リモコン１００の表示部１０１に翌日が定休日設定となっている旨が表示されるので、ユーザはその表示を見て、翌日の定休日設定を忘れずに解除することができる。このため、臨時営業日の営業開始時刻までに、貯湯タンク１１内の湯水の全量沸き上げを完了させることができる。
【００４２】
また、万一、前日までに定休日設定を解除し忘れてしまった場合には、臨時営業日の当日、リモコン１００の任意のスイッチを操作することにより、定休日の設定を迅速且つ簡単に解除し、貯湯タンク１１の沸き上げを開始させることができる。このため、ユーザの操作性を向上させることが可能となる。
【００４３】
実施の形態５．
次に、図１０乃至図１２を参照して、本発明の実施の形態５について説明するが、上述した実施の形態との相違点を中心に説明し、同様の事項については説明を省略する。
【００４４】
本実施形態では、前述した実施の形態１で説明した曜日毎の営業時間の設定のほかに、祝日用の営業時間をユーザが予め設定可能になっている。祝日用の営業時間を設定する操作は、リモコン１００を用いて行うことができ、設定された祝日用の営業時間の情報は給湯機制御部３１に記憶される。図１０は、本発明の実施の形態５におけるリモコン１００の外観図である。図１０に示すように、リモコン１００（操作部）には祝日設定スイッチ１１５（受付手段）が設けられている。この祝日設定スイッチ１１５が押された場合、給湯機制御部３１は、翌日の営業時間の開始時刻および終了時刻を、曜日毎に設定されている通常の時刻から、祝日用として設定されている時刻へと変更する。
【００４５】
図１１および図１２は、それぞれ、本発明の実施の形態５における貯湯タンク１１内の残湯量と沸き上げタイミングとの関係の一例を示す図である。ここでは、平日の営業時間が１１時〜１９時に設定され、祝日の営業時間が１０時〜２０時に設定されているものとする。図１１は、前日に祝日設定スイッチ１１５を押さなかった場合を表している。前日に祝日設定スイッチ１１５を押さなかった場合には、図１１に示すように、平日の営業時間開始時刻として設定されている１１時ちょうどに貯湯タンク１１の全量沸き上げが完了するように、沸き上げ動作が実行される。これに対し、前日に祝日設定スイッチ１１５を押した場合には、図１２に示すように、祝日の営業時間開始時刻として設定されている１０時ちょうどに貯湯タンク１１の全量沸き上げが完了するように、沸き上げ動作が実行される。
【００４６】
以上説明した実施の形態５によれば、例えば祝日のような時折現れる特殊な日のための時間帯区分（営業時間等）の時刻を予め設定しておき、その特殊な日の前日になった場合には、簡単な操作で、翌日の時間帯区分をその特殊な日のための時刻に変更することができる。このため、ユーザの操作性を向上することが可能となる。
【００４７】
なお、上述した実施の形態５では、祝日設定スイッチ１１５が押された場合に、給湯機制御部３１が、翌日の時間帯区分を祝日用の時間帯区分に変更するようにしているが、翌日以降の特定の日付を使用者が指定し、その指定された日付の時間帯区分を祝日用の時間帯区分に変更するようにしてもよい。
【符号の説明】
【００４８】
１０      電気給湯機本体
１１      貯湯タンク
２１      給水管
２２      給湯管
２３      加熱循環回路
３１      給湯機制御部
４１，４２，４３，４４  温度センサ
１００    リモコン
１０１    表示部
１１１    日時設定スイッチ
１１２    営業時間設定スイッチ
１１３    選択スイッチ
１１４    決定スイッチ
１１５    祝日設定スイッチ
２００    ヒートポンプユニット
【図１】
2012057853.tif 000003
【図２】
2012057853.tif 000004
【図３】
2012057853.tif 000005
【図４】
2012057853.tif 000006
【図５】
2012057853.tif 000007
【図６】
2012057853.tif 000008
【図７】
2012057853.tif 000009
【図８】
2012057853.tif 000010
【図９】
2012057853.tif 000011
【図１０】
2012057853.tif 000012
【図１１】
2012057853.tif 000013
【図１２】
2012057853.tif 000014